(57)【特許請求の範囲】
【請求項１】
ドア枠の内部に収容された水がドアの内部に供給されることができるように、ドア枠からドアに水供給通路が形成された防火ドア用ヒンジであって、
内部に水収容部が形成され、一側が他側に対して回転が可能であるヒンジ部と、
一側は前記ドアに結合され、他側は前記ヒンジ部の一側に結合され、前記ドアから前記水収容部まで連通される第１の水通路が形成されたドア連結部と、
一側は前記ドア枠に結合され、他側は前記ヒンジ部の他側に結合され、前記ドア枠から前記水収容部まで連通される第２の水通路が形成されたドア枠連結部と、を具備することを特徴とする、請求項１に記載の防火ドア用ヒンジ。
【請求項２】
前記ヒンジ部は、前記ドア枠連結部に結合され、内部が前記水収容部の下部を形成するように上部が開放され、前記第２の水通路に連通され、上面に回転突起が盛り上がった下部円筒部材と、
前記ドア連結部に結合され、内部が前記水収容部の上部を形成するように下部が開放され、前記第１の水通路に連通され、下面に前記回転突起が挿入されるように溝が形成された上部円筒部材と、を具備し、
前記上部円筒部材が前記下部円筒部材に対して回転することができることを特徴とする、請求項１に記載の防火ドア用ヒンジ。
【発明の詳細な説明】
【技術分野】
【０００１】
本発明は、防火ドア用ヒンジに関し、より詳しくは、火災時に放火ドア枠から防火ドアの内部に水を供給することができるように水供給通路が形成された防火ドア用ヒンジに関する。
【背景技術】
【０００２】
韓国特許第１０-０９９５２２４号は、火災時に内部に水が流れるようにして熱気を遮断すると同時に、ドア枠とドアとの隙間を密閉させ、有毒ガスが室内に流入されることを防止することができる防火ドアに関する。また、韓国特許出願第１０-２００９-０１２４８０８号は、火災時に水を噴出して熱気を遮断し、ドア枠とドアとの隙間を密閉させ、有毒ガスが室内に流入されることを防止することができる放火ドア枠に関する。上記の防火ドアと放火ドア枠が正常的に作動するためには、火災の発生時に防火ドア及び放火ドア枠の内部に水が連続的に供給されなければならない。
【０００３】
スライディングドアの場合、ドアはドア枠にヒンジにより連結されている。ドア枠は常に固定されているので、ドア枠の内部に水を容易に供給することができる。ところで、ドアはドア枠に対して回動する。よって、ドアは一定の位置に固定されていないので、火災の発生時にドアの内部に水を供給するように装置を設けることは容易ではない。
【発明の概要】
【発明が解決しようとする課題】
【０００４】
本発明は、上記の問題点を解決するためのものである。本発明は、放火ドア枠に収容された水が防火ドアに供給されることができるように、放火ドア枠から防火ドアまでの水供給通路の役割をすることができる防火ドア用ヒンジを提供することを目的とする。
【課題を解決するための手段】
【０００５】
本発明に係る防火ドア用ヒンジは、ドア枠の内部に収容された水がドアの内部に供給されることができるように、ドア枠からドアに水供給通路が形成される。
【０００６】
また、前記の防火ドア用ヒンジにおいて、前記ヒンジは、ヒンジ部と、ドア連結部と、ドア枠連結部と、を具備することが望ましい。前記ヒンジ部は、内部に水収容部が形成され、一側が他側に対して回転が可能である。前記ドア連結部は、一側は前記ドアに結合され、他側は前記ヒンジ部の一側に結合され、前記ドアから前記水収容部まで連通される第１の水通路が形成される。前記ドア枠連結部は、一側は前記ドア枠に結合され、他側は前記ヒンジ部の他側に結合され、前記ドア枠から前記水収容部まで連通される第２の水通路が形成される。
【０００７】
また、前記の防火ドア用ヒンジにおいて、前記ヒンジ部は、下部円筒部材と、上部円筒部材と、を具備することが望ましい。前記下部円筒部材は、前記ドア枠連結部に結合され、内部が前記水収容部の下部を形成するように上部が開放され、前記第２の水通路に連通され、上面に回転突起が盛り上がる。前記上部円筒部材は、前記ドア連結部に結合され、内部が前記水収容部の上部を形成するように下部が開放され、前記第１の水通路に連通され、下面に前記回転突起が挿入されるように溝が形成される。そして、前記上部円筒部材が前記下部円筒部材に対して回転することができる。
【発明の効果】
【０００８】
本発明によると、ドア枠の内部に収容された水をドアの内部に供給することができるように、ドア枠からドアまで水供給通路を形成するヒンジを提供することで、ドア枠からドアに水を供給することができる。この場合、火災の発生時に、ドア枠のみならずドアの内部にも水を連続的に供給することができるので、火炎と熱気を遮断することができると共に、火炎を鎮火することができる。
【図面の簡単な説明】
【０００９】
【図１】本発明に係る防火ドア用ヒンジの一実施の形態の斜視図である。
【図２】図１に示す実施の形態の他の方向からの斜視図である。
【図３】図１に示す実施の形態の平面図である。
【図４】図１に示す実施の形態のＡ-Ａ方向からの断面図である。
【図５】図１に示す実施の形態の設置図である。
【発明を実施するための形態】
【００１０】
図１〜図５を参照して、本発明に係る防火ドア用ヒンジの一実施の形態を説明する。
【００１１】
本発明に係る防火ドア用ヒンジ１０は、ドア枠１の内部に収容された水がドア５の内部に供給されることができるようにドア枠１からドア５まで水供給通路３５を形成する。
【００１２】
このために、ヒンジは、ヒンジ部１１と、ドア連結部２５と、ドア枠連結部３０と、を具備する。
【００１３】
ヒンジ部１１は、内部に水供給通路３５となる水収容部１３が形成されている。そして、ヒンジ部１１は、一側が他側に対して回転することができる。このために、ヒンジ部１１は下部円筒部材１５と上部円筒部材１９とを具備する。
【００１４】
下部円筒部材１５は円筒状であって、内部１７が水収容部１３の下部を形成するように上端が開放され、上面には内周面に沿って回転突起１６が盛り上がっている。そして、下部円筒部材１５にはドア枠連結部３０が結合されている。
【００１５】
上部円筒部材１９は円筒状であって、内部２１が水収容部１３の上部を形成するように下端が開放され、上面には内周面に沿って回転突起１６が挿入されるように溝２０が形成されている。そして、上部円筒部材１９にはドア連結部２５が結合されている。上部円筒部材１９の溝２０に下部円筒部材１５の回転突起１６を挿入し、下部円筒部材１５と上部円筒部材１９とを結合すると、内部には水収容部１３が完成される。そして、上部円筒部材１９は下部円筒部材１５に対して回転が可能である。
【００１６】
ドア連結部２５は、一側はドア５に結合され、他側は上部円筒部材１９に結合される。ドア連結部２５はネジ孔２８を通じてドア５に結合されることができる。そして、ドア連結部２５には、ドア５から上部円筒部材１９の内部２１まで連通される第１の水通路２７が形成されている。第１の水通路２７はドア５から水収容部１３までの水供給通路３５を形成する。
【００１７】
ドア枠連結部３０は、一側はドア枠１に結合され、他側は下部円筒部材１５に結合される。ドア枠連結部３０はネジ孔３２を通じてドア枠１に結合されることができる。そして、ドア枠連結部３０には、ドア枠１から下部円筒部材１５の内部１７まで連通される第２の水通路３１が形成されている。第２の水通路３１は水収容部１３からドア枠１まで水供給通路３５を形成する。
【００１８】
以下では本実施の形態の動作を説明する。本実施の形態のドア枠１とドア５のそれぞれは、内部に空間が形成され、水を収容することができる。ドア枠連結部３０はドア枠１に結合され、ドア連結部２５はドア５に結合される。この時、ドア枠１にはドア枠１の内部の空間とドア枠連結部３０の第２の水通路３１とが連通することができる孔が形成される。また、ドア５にもドア５の内部の空間とドア連結部２５の第１の水通路２７とが連通することができる孔が形成される。
【００１９】
そして、下部円筒部材１５の回転突起１６が上部円筒部材１９の溝２０に挿入されることができるように、ドア５をドア枠１に結合させる。回転突起１６は溝２０に挿入及び分離することが可能であるため、ドア５は必要に応じてドア枠１に結合及び分離することが可能である。すなわち、ヒンジ部１１の上部円筒部材１９と下部円筒部材１５は分離及び結合が可能である。上部円筒部材１９が下部円筒部材１５と結合すると、第１の水通路２７と水収容部１３と第２の水通路３１とが連結され、水供給通路３５が完成される。また、上部円筒部材１９は下部円筒部材１５に対して回転することができるので、ヒンジ１０としての役割も充実に果たすことができる。
【００２０】
火災の発生時、ドア枠１の内部には水が供給される。ドア枠１に供給された水は、水供給通路３５を通じてドア５の内部に供給されることができる。すなわち、水はドア枠１からヒンジ１０の水供給通路３５を通じて、ドア５の内部に持続的に供給されることができる。ドア５に供給された水により、ドア５は火炎及び煤煙を遮断することができる。よって、本実施の形態によると、火災の発生時、ドア枠１からドア５に水を容易に供給することができる。
【図１】
0005774776.tif 000002
【図２】
0005774776.tif 000003
【図３】
0005774776.tif 000004
【図４】
0005774776.tif 000005
【図５】
0005774776.tif 000006